(57)【要約】【課題】極数が多いコネクタであっても、且つ挿通する貫通孔のサイズが小さくても、貫通孔の一方側でコネクタ同士の嵌合を行うことが可能なコネクタ嵌合構造及び方法、また、嵌合作業数の増加に繋がらないようにすることが可能なコネクタ嵌合構造及び方法を提供する。【解決手段】貫通孔５を有する壁６の一方側７で嵌合し合う第一コネクタ１及び第二コネクタ４の嵌合構造となっている。第一コネクタ１は、第三コネクタ２、３を合体させてなるものであって、第三コネクタ２、３は、貫通孔５のサイズよりも小さなサイズの第三コネクタハウジング８、９を備え且つ貫通孔５を介して壁６の他方側１０から一方側７へ挿通されるものとなっている。第二コネクタ４は、貫通孔５のサイズよりも大きなサイズとなり且つ合体させた状態の第三コネクタハウジング８、９と嵌合する第二コネクタハウジング１２を備えてなるものとなっている。【選択図】図１
2010170701.tif 000002
【特許請求の範囲】
【請求項１】
貫通孔を有する壁の一方側で嵌合し合う第一コネクタ及び第二コネクタの嵌合構造において、
前記第一コネクタは、複数の第三コネクタを組み合わせてなるものであり、
該第三コネクタは、前記貫通孔のサイズよりも小さなサイズの第三コネクタハウジングを備え且つ前記貫通孔を介して前記壁の他方側から一方側へ挿通されるものであり、
前記第二コネクタは、前記貫通孔のサイズよりも大きなサイズとなり且つ組み合わせた状態の複数の前記第三コネクタハウジングと嵌合する第二コネクタハウジングを備えてなるものである
ことを特徴とするコネクタ嵌合構造。
【請求項２】
請求項１に記載のコネクタ嵌合構造において、
前記組み合わせに関し、複数の前記第三コネクタハウジングは、前記第一コネクタと前記第二コネクタとの嵌合方向に直交する方向にスライドさせて合体する合体構造部を有する
ことを特徴とするコネクタ嵌合構造。
【請求項３】
壁の貫通孔のサイズよりも小さなサイズの第三コネクタハウジングを有する複数の第三コネクタと、
前記貫通孔のサイズよりも大きなサイズの第二コネクタハウジングを有し且つ前記壁の一方側に位置する第二コネクタとを備え、
複数の前記第三コネクタのうち一つを前記壁の他方側から前記貫通孔を介して前記壁の一方側へ挿通する第１工程と、
別の前記第三コネクタも前記壁の他方側から前記貫通孔を介して前記壁の一方側へ挿通する第２工程と、
挿通した後の複数の前記第三コネクタを合体させて第一コネクタにする第３工程と、
複数の前記第三コネクタを合体させてなる前記第一コネクタを前記壁の一方側に位置する前記第二コネクタに嵌合する第４工程と、
を実行する
ことを特徴とするコネクタ嵌合方法。
【請求項４】
請求項３に記載のコネクタ嵌合方法において、
複数の前記第三コネクタは、各々、複数の電線に接続される複数の端子を前記第三コネクタハウジングに収容しており、前記第２工程後においても、各前記第三コネクタから各々のびる前記電線は、前記貫通孔を介して前記壁の他方側から一方側へ配索された状態となる
ことを特徴とするコネクタ嵌合方法。
【発明の詳細な説明】
【技術分野】
【０００１】
本発明は、第一コネクタ及び第二コネクタの嵌合に係る構造及び方法に関する。
【背景技術】
【０００２】
貫通孔を有する壁の一方側で嵌合し合うコネクタ同士の嵌合構造としては、例えば下記特許文献１に開示された構造が知られている。この嵌合構造は、自動車用ドアの構造に係るものとして提案されている。下記特許文献１には、アウタパネルに取り付けられるリモコンミラーと、このリモコンミラーを制御するためのミラー用コネクタと、貫通孔を有するインナパネルと、インナパネルの内側（車室側）に配索されるドア用ワイヤハーネスと、このハーネスの端末に設けられるハーネス用コネクタとが開示されている。
【０００３】
ハーネス用コネクタは、貫通孔を介してインナパネルの内側から外側へ挿通された後にミラー用コネクタと嵌合し、これによって電気的な接続が完了するようになっている（尚、下記特許文献１には、ミラー用コネクタがインナパネルの内側に挿通されてハーネス用コネクタと嵌合する例も開示されている）。
【０００４】
インナパネルの貫通孔は、ハーネス用コネクタ又はミラー用コネクタの挿通が可能になる程度の大きさに貫通形成されている。貫通孔を小さく形成するのは、防水性に配慮してのことである。
【先行技術文献】
【特許文献】
【０００５】
【特許文献１】特開平１１−３２１４８５号公報
【発明の概要】
【発明が解決しようとする課題】
【０００６】
ところで、上記従来技術にあっては、近年の高機能化に伴い次のような問題点を有している。すなわち、コネクタの極数を多く（端子の数を多く）したいという要望に応えるためにコネクタを大きくすると、これと一緒に貫通孔のサイズも大きくする必要があることから、防水性の確保に影響を来してしまうという問題点を有している。
【０００７】
尚、貫通孔のサイズ変更をすることが設計的にできない場合もあり、この場合、極数を多くすることが不可能になるのは勿論のこと、電気的な接続を行うこともできないという問題点を有している。
【０００８】
極数を多くすることにあたり、例えばハーネス用コネクタ及びミラー用コネクタをそれぞれ二つずつにして各々挿通すれば、貫通孔のサイズを変更しなくてもよくなると考えられるが、コネクタ同士の嵌合作業（接続作業）が一回から二回に増えてしまうことから、作業性の面で影響を来してしまうことになる。
【０００９】
本発明は、上記した事情に鑑みてなされたもので、極数が多いコネクタであっても、且つ挿通する貫通孔のサイズが小さくても、貫通孔の一方側でコネクタ同士の嵌合を行うことが可能なコネクタ嵌合構造、また、嵌合作業数の増加に繋がらないようにすることが可能なコネクタ嵌合構造を提供することを課題とする。また、コネクタ嵌合方法も提供することを課題とする。
【課題を解決するための手段】
【００１０】
上記課題を解決するためになされた請求項１記載の本発明のコネクタ嵌合構造は、貫通孔を有する壁の一方側で嵌合し合う第一コネクタ及び第二コネクタの嵌合構造において、前記第一コネクタは、複数の第三コネクタを組み合わせてなるものであり、該第三コネクタは、前記貫通孔のサイズよりも小さなサイズの第三コネクタハウジングを備え且つ前記貫通孔を介して前記壁の他方側から一方側へ挿通されるものであり、前記第二コネクタは、前記貫通孔のサイズよりも大きなサイズとなり且つ組み合わせた状態の複数の前記第三コネクタハウジングと嵌合する第二コネクタハウジングを備えてなるものであることを特徴としている。
【００１１】
このような特徴を有する本発明によれば、貫通孔を介して壁の他方側から一方側へ第三コネクタを複数挿通し、そして、壁の一方側で第三コネクタを組み合わせて第一コネクタを形成し、このように形成した第一コネクタを第二コネクタに対して嵌合させるようにすれば、極数が多いコネクタであっても、且つ挿通する貫通孔のサイズが小さくても、且つ挿通する貫通孔のサイズ変更をしなくても、貫通孔の一方側でコネクタ同士の嵌合を行うことが可能になる。また、一回の嵌合作業で電気的な接続を完了させることが可能になる。
【００１２】
請求項２記載の本発明のコネクタ嵌合構造は、請求項１に記載のコネクタ嵌合構造において、前記組み合わせに関し、複数の前記第三コネクタハウジングは、前記第一コネクタと前記第二コネクタとの嵌合方向に直交する方向にスライドさせて合体する合体構造部を有することを特徴としている。
【００１３】
このような特徴を有する本発明によれば、第一コネクタと第二コネクタとの嵌合の際や嵌合の後に、合体した状態の第三コネクタの位置ズレを生じ難くすることが可能になる。
【００１４】
上記課題を解決するためになされた請求項３記載の本発明のコネクタ嵌合方法は、壁の貫通孔のサイズよりも小さなサイズの第三コネクタハウジングを有する複数の第三コネクタと、前記貫通孔のサイズよりも大きなサイズの第二コネクタハウジングを有し且つ前記壁の一方側に位置する第二コネクタとを備え、複数の前記第三コネクタのうち一つを前記壁の他方側から前記貫通孔を介して前記壁の一方側へ挿通する第１工程と、別の前記第三コネクタも前記壁の他方側から前記貫通孔を介して前記壁の一方側へ挿通する第２工程と、挿通した後の複数の前記第三コネクタを合体させて第一コネクタにする第３工程と、複数の前記第三コネクタを合体させてなる前記第一コネクタを前記壁の一方側に位置する前記第二コネクタに嵌合する第４工程と、を実行することを特徴としている。
【００１５】
請求項４記載の本発明のコネクタ嵌合方法は、請求項３に記載のコネクタ嵌合方法において、複数の前記第三コネクタは、各々、複数の電線に接続される複数の端子を前記第三コネクタハウジングに収容しており、前記第２工程後においても、各前記第三コネクタから各々のびる前記電線は、前記貫通孔を介して前記壁の他方側から一方側へ配索された状態となることを特徴としている。
【００１６】
尚、請求項３、４に記載された本発明の嵌合方法をコネクタハウジングの視点で特徴付けると、次の（１）、（２）のようになる。
【００１７】
（１）壁の貫通孔のサイズよりも小さなサイズの第三コネクタハウジングを有する複数の第三コネクタと、前記貫通孔のサイズよりも大きなサイズの第二コネクタハウジングを有し且つ前記壁の一方側に位置する第二コネクタとを備え、複数の前記第三コネクタハウジングのうち一つを前記壁の他方側から前記貫通孔を介して前記壁の一方側へ挿通する第１工程と、別の前記第三コネクタハウジングも前記壁の他方側から前記貫通孔を介して前記壁の一方側へ挿通する第２工程と、挿通した後の複数の前記第三コネクタハウジングを合体させて第一コネクタを構成するハウジングにする第３工程と、複数の前記第三コネクタハウジングを合体させた状態の前記ハウジングを前記壁の一方側に位置する前記第二コネクタハウジングに嵌合する第４工程と、を実行することを特徴とするコネクタ嵌合方法。
【００１８】
（２）複数の前記第三コネクタハウジングは、各々、複数の電線に接続される複数の端子を収容しており、前記第２工程後においても、各前記第三コネクタハウジングから各々のびる前記電線は、前記貫通孔を介して前記壁の他方側から一方側へ配索された状態となることを特徴とするコネクタ嵌合方法。
【発明の効果】
【００１９】
請求項１に記載された本発明によれば、極数が多いコネクタであっても、且つ挿通する貫通孔のサイズが小さくても、且つ挿通する貫通孔のサイズ変更をしなくても、貫通孔の一方側でコネクタ同士の嵌合を行うことができるという効果を奏する。また、本発明によれば、極数が多いコネクタであっても、且つ挿通する貫通孔のサイズが小さくても、嵌合作業数の増加に繋がらないようにすることができるという効果を奏する。
【００２０】
請求項２に記載された本発明によれば、第一コネクタと第二コネクタとの嵌合方向に直交する方向に第三コネクタ同士をスライドさせて合体させることにより、第三コネクタの位置ズレを生じ難くすることができるという効果を奏する。本発明によれば、請求項１の効果の他に、接続信頼性を高めることができるという効果も奏する。
【００２１】
請求項３、４に記載された本発明によれば、請求項１、２に記載されたコネクタ嵌合構造に好適な嵌合方法を提供することができるという効果を奏する。また、請求項３、４に記載された本発明によれば、極数が多いコネクタであっても、且つ挿通する貫通孔のサイズが小さくても、且つ挿通する貫通孔のサイズ変更をしなくても、貫通孔の一方側でコネクタ同士の嵌合を行うことができるという効果や、極数が多いコネクタであっても、且つ挿通する貫通孔のサイズが小さくても、嵌合作業数の増加に繋がらないようにすることができるという効果を奏する。
【図面の簡単な説明】
【００２２】
【図１】本発明のコネクタ嵌合構造の一実施の形態を示す模式図であり、（ａ）はコネクタ同士の嵌合前の状態を示す模式図、（ｂ）はコネクタ同士の嵌合後の状態を示す模式図である。
【図２】第三コネクタの一方を示す斜視図である。
【図３】第三コネクタの他方を示す斜視図である。
【図４】第三コネクタ同士の合体前の状態を示す斜視図である。
【図５】第三コネクタ同士の合体後の状態を示すとともに第一コネクタを示す斜視図である。
【図６】合体構造部を示す要部拡大図である。
【図７】第二コネクタを示す斜視図である。
【図８】第二コネクタを示す正面図である。
【図９】第一コネクタ及び第二コネクタのコネクタ嵌合状態を示す斜視図である。
【発明を実施するための形態】
【００２３】
以下、図面を参照しながら説明する。図１は本発明のコネクタ嵌合構造の一実施の形態を示す模式図であり、（ａ）はコネクタ同士の嵌合前の状態を示す模式図、（ｂ）はコネクタ同士の嵌合後の状態を示す模式図である。
【００２４】
図１において、引用符号１は第三コネクタ２、３を合体させてなる第一コネクタを示している。また、引用符号４は第二コネクタを示している。本発明のコネクタ嵌合構造は、貫通孔５を有する壁６の一方側７で嵌合し合う第一コネクタ１及び第二コネクタ４の嵌合構造となっている。
【００２５】
第一コネクタ１は、上記の如く第三コネクタ２、３を合体させて（組み合わせて）なるものであって、第三コネクタ２、３は、貫通孔５のサイズよりも小さなサイズの第三コネクタハウジング８、９を備え且つ貫通孔５を介して壁６の他方側１０から一方側７へ挿通されるものとなっている。第三コネクタ２、３は、本形態において、９つの極数（端子の数）を有するコネクタとなっている。第三コネクタ２、３からは、電線１１が引き出されている。電線１１の端末には、第三コネクタハウジング８、９に収容される端子が接続されている。尚、電線１１は、束ねるようにしても良いものとする。
【００２６】
第二コネクタ４は、貫通孔５のサイズよりも大きなサイズとなり且つ合体させた（組み合わせた）状態の第三コネクタハウジング８、９と嵌合する第二コネクタハウジング１２を備えてなるものとなっている。第二コネクタ４は、本形態において、１８の極数（端子の数）を有するコネクタとなっている。第二コネクタ４から引き出される電線１３は、特に限定するものでないが、図示の如く束ねられている。
【００２７】
上記構成において、図１（ａ）に示す如く、貫通孔５を介して壁６の他方側１０から一方側７へ第三コネクタ２、３を各々挿通し（第１工程、第２工程）、そして、壁６の一方側７で第三コネクタ２、３を合体させて（上下に重なるよう組み合わせて）第一コネクタ１を形成し（第３工程）、この後に形成した第一コネクタ１を、図１（ｂ）に示す如く、第二コネクタ４に対して嵌合させる（第４工程）と、第一コネクタ１及び第二コネクタ４の嵌合及び電気的な接続が完了する。
【００２８】
尚、第三コネクタ２、３から各々のびる電線１１は、貫通孔５を介して壁６の他方側１０から一方側７へ配索された状態となる。
【００２９】
本発明によれば、極数が多いコネクタであっても、且つ挿通する貫通孔５のサイズが小さくても、且つ挿通する貫通孔５のサイズ変更をしなくても、貫通孔５の一方側７でコネクタ同士の嵌合を行うことができるという効果を奏する。また、一回の嵌合作業で電気的な接続を完了させることができるという効果を奏する。
【００３０】
引用符号２４、２９は合体構造部を示している。合体構造部２４、２９に関しては後述する。
【００３１】
次に、図２ないし図９を参照しながら、もう少し詳しく各コネクタや嵌合等について説明する。
【００３２】
図２は第三コネクタの一方を示す斜視図、図３は第三コネクタの他方を示す斜視図、図４は第三コネクタ同士の合体前の状態を示す斜視図、図５は第三コネクタ同士の合体後の状態を示すとともに第一コネクタを示す斜視図、図６は合体構造部を示す要部拡大図、図７は第二コネクタを示す斜視図、図８は第二コネクタを示す正面図、図９は第一コネクタ及び第二コネクタのコネクタ嵌合状態を示す斜視図である。
【００３３】
尚、各コネクタの図は、端子金具及び電線の図示を省略した状態で示すものとする（端子金具及び電線は公知のものを用いるものとする）。
【００３４】
図２において、第三コネクタ２は、第三コネクタハウジング８と、この第三コネクタハウジング８の端子収容室２１に収容・係止される図示しない端子金具と、端子収容室２１に収容・係止された端子金具を二重に係止するためのスペーサ２２とを備えて構成されている。
【００３５】
第三コネクタハウジング８は、貫通孔５（図１参照）のサイズよりも小さなサイズのものであって、この上部に突起形状のロック部２３（図４参照）を有するとともに、下部に合体構造部２４を有している。ロック部２３は、第二コネクタ４の第二コネクタハウジング１２（図９参照）との嵌合の際に用いられる部分として形成されている。合体構造部２４は、第三コネクタ２、３を合体させる（上下に重なるよう組み合わせる）際に用いられる部分として形成されている。第三コネクタハウジング８の合体構造部２４は、リブ２５と一対のボス２６とを有している。
【００３６】
リブ２５は、第一コネクタ１と第二コネクタ４との嵌合方向（図１参照）に直交する方向にのびるように形成されている。また、リブ２５は、第三コネクタハウジング９の後述する合体構造部２９（図３参照）に対してスライドしながら挿入される部分として形成されている。リブ２５には、一対のスライド部分２７が形成されている。このようなリブ２５の両側には、摺接面２８がそれぞれ形成されている。
【００３７】
一対のボス２６は、合体状態を維持するための部分として形成されている。一対のボス２６は、各摺接面２８に突出形成されている。一対のボス２６は、リブ２５の両側の所定位置に配置形成されている。
【００３８】
スペーサ２２は、第三コネクタハウジング８の下部であって合体構造部２４よりも後方に嵌合するように形成されている。スペーサ２２は、公知の機能を有しており、ここでは詳細な説明は省略するものとする。
【００３９】
図３において、第三コネクタ３は、上記第三コネクタ２（図２参照）と同様に、第三コネクタハウジング９と、この第三コネクタハウジング９の端子収容室２１に収容・係止される図示しない端子金具と、端子収容室２１に収容・係止された端子金具を二重に係止するためのスペーサ２２とを備えて構成されている（端子金具及びスペーサ２２は第三コネクタ２と同じであるものとする）。
【００４０】
第三コネクタハウジング９は、貫通孔５（図１参照）のサイズよりも小さなサイズのものであって、この下部に突起形状のロック部（図示省略。上記ロック部２３を参照）を有するとともに、上部に合体構造部２９を有している。ロック部は、第二コネクタ４の第二コネクタハウジング１２（図９参照）との嵌合の際に用いられる部分として形成されている。合体構造部２９は、第三コネクタ２、３を合体させる（組み合わせる）際に用いられる部分として形成されている。第三コネクタハウジング９の合体構造部２９は、リブ受け部３０と一対の凹部３１とを有している。
【００４１】
リブ受け部３０は、第一コネクタ１と第二コネクタ４との嵌合方向（図１参照）に直交する方向にのびるように形成されている。また、リブ受け部３０は、第三コネクタハウジング８のリブ２５（図２参照）のスライドを可能にする部分として形成されている。リブ受け部３０には、リブ２５のスライド部分２７を案内するためのガイド部分３２が一対形成されている。一対のガイド部分３２の上には、摺接面３３が各々形成されている。摺接面３３は、第三コネクタハウジング８の摺接面２８に対し摺接する部分として形成されている。
【００４２】
一対の凹部３１は、合体状態を維持するための部分として形成されている。一対の凹部３１は、第三コネクタハウジング８の一対のボス２６（図２参照）の位置に合わせて配置形成されている。一対の凹部３１は、一対のボス２６を引っ掛けるための係止部分３４を有している。
【００４３】
図４において、第三コネクタ２、３は、図中の矢印方向（第一コネクタ１と第二コネクタ４との嵌合方向（図１参照）に直交する方向）にスライドさせて各合体構造部２４、２９同士を係合させると、図５に示す如く第三コネクタ２、３が上下に合体して第一コネクタ１が形成される。合体に関しては、図６に示す如く、第三コネクタハウジング８のリブ２５が第三コネクタハウジング９のリブ受け部３０に挿入されて、各スライド部分２７が各ガイド部分３２に案内される。また、第三コネクタハウジング８の摺接面２８と第三コネクタハウジング９の摺接面３３とが摺接する。さらに、第三コネクタハウジング８の各ボス２６（図２参照）が第三コネクタハウジング９の各係止部分３４に引っ掛かって係止され、合体状態が維持される。
【００４４】
図７及び図８において、第二コネクタ４は、第二コネクタハウジング１２と、この第二コネクタハウジング１２の端子収容室４１に収容・係止される図示しない端子金具と、端子収容室４１に収容・係止された端子金具を二重に係止するためのスペーサ４２（図９参照）とを備えて構成されている。
【００４５】
第二コネクタハウジング１２は、貫通孔５（図１参照）のサイズよりも大きなサイズのものであって、この上部及び下部にロック部４３を各々有している。ロック部４３は、第一コネクタ１（図５参照）との嵌合の際に用いられる部分として形成されている。ロック部４３は、第三コネクタ２、３のロック部２３を係止するためのロッキングアーム４４等を有している。尚、引用符号４５は、図示しないブラケット等に第二コネクタ４を固定するための固定部を示している。
【００４６】
第二コネクタハウジング１２は、この前部を開口させて形成されるコネクタ嵌合部４６を有している。コネクタ嵌合部４６は、上下に合体した状態の第三コネクタハウジング８、９を挿入することができる形状に形成されている。このようなコネクタ嵌合部４６の両側部中間には、内方に突出するリブ４７が形成されている。リブ４７は、コネクタ嵌合部４６を上下二段の嵌合部にするように形成されている。
【００４７】
上記構成及び構造において、図９に示す如く第一コネクタ１を第二コネクタ４に対して嵌合させると、言い換えれば上下に合体した状態の第三コネクタ２、３を図中の矢印方向に移動させて第二コネクタ４に対し嵌合させると、第一コネクタ１及び第二コネクタ４の嵌合及び電気的な接続が完了する。尚、第一コネクタ１となる第三コネクタ２、３は、合体構造部２４、２９の構造によってガタ付きなく嵌合する。
【００４８】
以上、図１ないし図９を参照しながら説明してきたように、本発明によれば、極数が多いコネクタであっても、且つ挿通する貫通孔５のサイズが小さくても、且つ挿通する貫通孔のサイズ変更をしなくても（貫通孔５を大きくしなくても）、貫通孔５の一方側７でコネクタ同士の嵌合を行うことができるという効果を奏する。また、一回の嵌合作業で電気的な接続を完了させることができるという効果を奏する（本発明は、極数の多い第一コネクタ１を第三コネクタ２、３に分割することにより、限られた場所への挿通作業をすることができるという効果を奏する。また、本発明は、分割した第三コネクタ２、３を組み合わせて第一コネクタ１を形成することにより、第一コネクタ１及び第二コネクタ４同士の嵌合に係る作業を一回で済ませることができるという効果を奏する）。
【００４９】
本発明は本発明の主旨を変えない範囲で種々変更実施可能なことは勿論である。
【００５０】
上記説明において、第一コネクタ１はハーネス用コネクタに、第三コネクタ２、３は分割コネクタに、第二コネクタ４はミラー用コネクタに、壁６はインナパネルに読み替えても良いものとする（読み替えの名称は一例であるものとする）。
【００５１】
上記説明において、第一コネクタ１は二つの第三コネクタ２、３で構成されていたが、これに限らず例えば三つ合体させて構成したものを用いてもよいものとする。この場合、例えば上側の第三コネクタにおける第三コネクタハウジングの下部に合体構造部２４を形成するとともに、下側の第三コネクタにおける第三コネクタハウジングの上部に合体構造部２４を形成し、真ん中の第三コネクタにおける第三コネクタハウジングの上部及び下部に合体構造部２９をそれぞれ形成すればよい。
【符号の説明】
【００５２】
１  第一コネクタ
２、３  第三コネクタ
４  第二コネクタ
５  貫通孔
６  壁
７  一方側
８、９  第三コネクタハウジング
１０  他方側
１１、１３  電線
１２  第二コネクタハウジング
２１、４１  端子収容室
２２、４２  スペーサ
２３、４３  ロック部
２４、２９  合体構造部
２５  リブ
２６  ボス
２７  スライド部分
２８、３３  摺接面
３０  リブ受け部
３１  凹部
３２  ガイド部分
３４  係止部分
４４  ロッキングアーム
４５  固定部
４６  コネクタ嵌合部
４７  リブ
【図１】
2010170701.tif 000003
【図２】
2010170701.tif 000004
【図３】
2010170701.tif 000005
【図４】
2010170701.tif 000006
【図５】
2010170701.tif 000007
【図６】
2010170701.tif 000008
【図７】
2010170701.tif 000009
【図８】
2010170701.tif 000010
【図９】
2010170701.tif 000011